(57)【要約】【課題】専用の首輪ではない場合であっても、ずれるのを抑制することが可能なペット用マフラーを提供する。【解決手段】ペット用マフラー１００は、マフラー本体１と、マフラー本体１に設けられたループ部材２と、マフラー本体１とループ部材２とにより形成され、ペット用の首輪１５０が挿通される挿通部５０とを備える。【選択図】図２
2013243999.tif 000002
【特許請求の範囲】
【請求項１】
ペットに巻かれるペット用マフラーであって、
マフラー本体と、
前記マフラー本体に設けられたループ部材と、
前記マフラー本体と前記ループ部材とにより形成され、ペット用の首輪が挿通される挿通部とを備えることを特徴とするペット用マフラー。
【請求項２】
請求項１に記載のペット用マフラーにおいて、
前記挿通部は、前記マフラー本体の長手方向に間隔を隔てて複数設けられていることを特徴とするペット用マフラー。
【請求項３】
請求項１または２に記載のペット用マフラーにおいて、
前記マフラー本体に形成され、前記首輪のリード連結用金具を引き出すための開口部を備えることを特徴とするペット用マフラー。
【請求項４】
請求項３に記載のペット用マフラーにおいて、
前記開口部は、前記マフラー本体の長手方向に間隔を隔てて複数設けられていることを特徴とするペット用マフラー。
【請求項５】
請求項１〜４のいずれか１つに記載のペット用マフラーにおいて、
前記ループ部材は、両端部が前記マフラー本体に取り付けられていることを特徴とするペット用マフラー。
【請求項６】
請求項１〜４のいずれか１つに記載のペット用マフラーにおいて、
前記ループ部材は、一方端部が前記マフラー本体に取り付けられ、他方端部が前記マフラー本体に着脱可能に構成されていることを特徴とするペット用マフラー。
【発明の詳細な説明】
【技術分野】
【０００１】
本発明は、ペットの首周りに巻かれるペット用マフラーに関する。
【背景技術】
【０００２】
従来、ペット（たとえば、犬）を装飾するためのペット用マフラーが知られている。しかしながら、従来のペット用マフラーでは、ペットが動いたときにずれやすいという不都合があった。
【０００３】
そこで、従来では、首輪本体と、首輪本体に着脱可能なマフラーとを備えたペット用マフラータイプ取り替え首輪が提案されている（たとえば、特許文献１参照）。このペット用マフラータイプ取り替え首輪では、首輪本体に対してマフラーを着脱可能にするために、首輪本体に凸部が設けられるとともに、マフラーに凹部が設けられている。
【先行技術文献】
【特許文献】
【０００４】
【特許文献１】実用新案登録第３１０７６３０号公報
【発明の概要】
【発明が解決しようとする課題】
【０００５】
しかしながら、特許文献１に開示された従来のペット用マフラータイプ取り替え首輪では、ペットが動いたときにマフラーがずれるのを抑制することは可能であるが、首輪本体にマフラーを着脱するための凸部を設ける必要があるので、専用の首輪本体を準備する必要があるという問題点がある。
【０００６】
本発明は、上記の課題を解決するためになされたものであり、本発明の目的は、専用の首輪ではない場合であっても、ずれるのを抑制することが可能なペット用マフラーを提供することである。
【課題を解決するための手段】
【０００７】
上記した目的を達成するために、本発明によるペット用マフラーは、ペットに巻かれるペット用マフラーであって、マフラー本体と、マフラー本体に設けられたループ部材と、マフラー本体とループ部材とにより形成され、ペット用の首輪が挿通される挿通部とを備える。
【０００８】
このように構成することによって、首輪を挿通部に挿通することにより、マフラー本体を首輪に装着することができるので、専用の首輪ではない場合であっても、ペット用マフラーがずれるのを抑制することができる。
【０００９】
上記ペット用マフラーにおいて、好ましくは、挿通部は、マフラー本体の長手方向に間隔を隔てて複数設けられている。
【００１０】
このように構成すれば、マフラー本体を首輪に安定した状態で装着することができる。
【００１１】
上記ペット用マフラーにおいて、好ましくは、マフラー本体に形成され、首輪のリード連結用金具を引き出すための開口部を備える。
【００１２】
このように構成すれば、リード連結用金具を開口部から引き出すことにより、リード連結用金具をマフラー本体から露出させることができるので、リード連結用金具にリードを容易に着脱することができる。
【００１３】
この場合において、好ましくは、開口部は、マフラー本体の長手方向に間隔を隔てて複数設けられている。
【００１４】
このように構成すれば、首輪の長さやペット用マフラーを結ぶ位置などに応じて、リード連結用金具を引き出す位置（開口部）を適宜選択することができる。
【００１５】
上記ペット用マフラーにおいて、ループ部材は、両端部がマフラー本体に取り付けられていてもよい。
【００１６】
上記ペット用マフラーにおいて、ループ部材は、一方端部がマフラー本体に取り付けられ、他方端部がマフラー本体に着脱可能に構成されていてもよい。
【発明の効果】
【００１７】
本発明のペット用マフラーによれば、専用の首輪ではない場合であっても、ずれるのを抑制することができる。
【図面の簡単な説明】
【００１８】
【図１】本発明の一実施形態によるペット用マフラーを示した正面図である。
【図２】図１のペット用マフラーを示した背面図である。
【図３】図１のペット用マフラーを示した平面図である。
【図４】図１のペット用マフラーを示した右側面図である。
【図５】図１のペット用マフラーのループ部材を説明するための概略図である。
【図６】図１のペット用マフラーに首輪を装着した状態を説明するための背面図である。
【図７】図１のペット用マフラーに首輪を装着した状態を説明するための正面図である。
【図８】本実施形態の第１変形例によるペット用マフラーを説明するための概略図である。
【図９】図８のペット用マフラーに首輪を装着した状態を説明するための背面図である。
【図１０】本実施形態の第２変形例によるペット用マフラーを説明するための概略図である。
【発明を実施するための形態】
【００１９】
以下、本発明の一実施形態について図面を参照して説明する。
【００２０】
−構成−
図１は、本発明の一実施形態によるペット用マフラーを示した正面図であり、図２は、図１のペット用マフラーを示した背面図である。図３は、図１のペット用マフラーを示した平面図であり、図４は、図１のペット用マフラーを示した右側面図である。図５は、図１のペット用マフラーのループ部材を説明するための概略図である。
【００２１】
まず、図１〜図５を参照して、本実施形態によるペット用マフラー１００の構成について説明する。なお、ペット用マフラー１００の底面図は図３に示した平面図と対称であり、ペット用マフラー１００の左側面図は図４に示した右側面図と同じであるため、ペット用マフラー１００の底面図および左側面図の記載は省略した。
【００２２】
ペット用マフラー１００は、ペット（たとえば、犬）の首周りに巻かれることにより、ペットを装飾するためのものである。ペット用マフラー１００は、図１〜図４に示すように、マフラー本体１と、ペット用の首輪１５０（図６および図７参照）に装着するためのループ部材２と、球状の飾り３とを備えている。
【００２３】
マフラー本体１は、図１〜図３に示すように、ニット製であり、帯状に形成されている。このマフラー本体１は、たとえば、Ｘ方向（長手方向）の長さが７５０ｍｍであり、Ｚ方向（短手方向）の長さが４０ｍｍである。また、マフラー本体１には、ストライプ（縞模様）のデザインが施されている。具体的には、マフラー本体１は、第１の色で着色された第１領域１ａと、第２の色で着色された第２領域１ｂとがＸ方向において交互に配置されている。たとえば、第１領域１ａ（第１の色）はグレーであり、第２領域１ｂ（第２の色）はピンクである。第１領域１ａおよび第２領域１ｂは、Ｘ方向の長さが同じに設定されている。
【００２４】
マフラー本体１には、図２に示すように、Ｘ方向に所定の間隔を隔てて複数の開口部（ボタンホール）１１が形成されている。具体的には、開口部１１は、マフラー本体１の表面１ｃ側から裏面１ｄ側に貫通する貫通孔であり、所定の間隔（たとえば、６０ｍｍ）を隔てて３つ形成されている。この開口部１１は、隣接するループ部材２間の中央に配置されている。また、開口部１１は、首輪１５０のＤカン１５１（図７参照）を引き出すために設けられている。なお、Ｄカン１５１は、本発明の「リード連結用金具」の一例である。
【００２５】
ループ部材（ベルトループ）２は、マフラー本体１の裏面１ｄにＸ方向に所定の間隔を隔てて複数設けられている。具体的には、ループ部材２は、所定の間隔（たとえば、６０ｍｍ）を隔てて４つ設けられている。図５に示すように、ループ部材２のＺ方向における両端部は、それぞれ、マフラー本体１のＺ方向における両端部近傍に縫い付けられている。これにより、マフラー本体１とループ部材２との間には、首輪１５０（図６参照）がＸ方向に挿通される挿通部５０が形成されている。すなわち、挿通部５０は、Ｘ方向に所定の間隔を隔てて４つ設けられている。なお、ループ部材２のＺ方向の長さは、たとえば、２５ｍｍである。
【００２６】
球状の飾り３は、図１〜図３に示すように、マフラー本体１のＸ方向の両端部に設けられている。球状の飾り３は、たとえば、色がグレーであり、直径が５０ｍｍである。
【００２７】
−利用方法−
図６は、図１のペット用マフラーを首輪に装着した状態を説明するための背面図であり、図７は、図１のペット用マフラーを首輪に装着した状態を説明するための正面図である。なお、図６および図７では、見やすさを考慮して第１領域１ａおよび第２領域１ｂ（図１および図２参照）の図示を省略した。
【００２８】
次に、図６および図７を参照して、本実施形態によるペット用マフラー１００の利用方法について説明する。
【００２９】
まず、図６に示すように、ペット用マフラー１００の挿通部５０（図５参照）にペット用の首輪１５０が挿通される。これにより、マフラー本体１が首輪１５０に装着される。なお、首輪１５０は、マフラー本体１の裏面１ｄ側に配置される。そして、図７に示すように、首輪１５０に設けられたＤカン１５１が開口部１１に配置されるように、首輪１５０に対するペット用マフラー１００のＸ方向の位置が調整される。これにより、Ｄカン１５１がマフラー本体１の表面１ｃ側に露出される。すなわち、開口部１１は、マフラー本体１の裏面１ｄ側に配置される首輪１５０のＤカン１５１を、マフラー本体１の表面１ｃ側に引き出すために設けられている。
【００３０】
その後、首輪１５０がペットに取り付けられるとともに、ペット用マフラー１００がペットの首回りに巻かれ、Ｄカン１５１にリード（図示省略）が取り付けられる。
【００３１】
−効果−
本実施形態では、上記のように、挿通部５０を設けることによって、マフラー本体１を首輪１５０に装着することができるので、専用の首輪ではない場合であっても、ペット用マフラー１００がずれるのを抑制することができる。
【００３２】
また、本実施形態では、挿通部５０を複数設けることによって、マフラー本体１を首輪１５０に安定した状態で装着することができる。
【００３３】
また、本実施形態では、Ｄカン１５１を開口部１１から引き出すことによって、Ｄカン１５１をマフラー本体１から露出させることができるので、Ｄカン１５１にリードを容易に着脱することができる。
【００３４】
また、本実施形態では、開口部１１を複数設けることによって、首輪１５０の長さやペット用マフラー１００を結ぶ位置などに応じて、Ｄカン１５１を引き出す位置（開口部１１）を適宜選択することができる。
【００３５】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００３６】
たとえば、本実施形態では、マフラー本体１にストライプのデザインが施される例を示したが、これに限らず、マフラー本体にストライプ以外（たとえば、チェックまたは無地など）のデザインが施されていてもよい。
【００３７】
また、本実施形態では、第１領域１ａおよび第２領域１ｂのＸ方向の長さが同じに設定される例を示したが、これに限らず、第１領域および第２領域のＸ方向の長さが異なっていてもよい。
【００３８】
また、図８および図９に示す本実施形態の第１変形例によるペット用マフラー２００のように、ループ部材２０１（挿通部２５０）がマフラー本体１に沿って延びるように形成されていてもよい。このように構成すれば、マフラー本体１を首輪１５０により安定した状態で装着することができる。
【００３９】
また、本実施形態では、ループ部材２の両端部がマフラー本体１に取り付けられる例を示したが、これに限らず、図１０に示す本実施形態の第２変形例によるペット用マフラー３００のように、ループ部材３０１の一方端部がマフラー本体１に取り付けられ、ループ部材３０１の他方端部がマフラー本体１に着脱可能に構成されていてもよい。このペット用マフラー３００では、一対の面ファスナー３０１ａにより、ループ部材３０１の他方端部がマフラー本体１に着脱可能にされている。このように構成すれば、挿通部３５０がマフラー本体１に沿って延びている場合であっても、マフラー本体１を首輪１５０に装着しやすくすることができる。
【００４０】
また、本実施形態では、挿通部５０を複数設ける例を示したが、これに限らず、挿通部を１つだけ設けるようにしてもよい。
【００４１】
また、本実施形態では、開口部１１を複数設ける例を示したが、これに限らず、開口部を１つだけ設けるようにしてもよいし、開口部を設けなくてもよい。
【００４２】
また、本実施形態では、マフラー本体１がニット製である例を示したが、これに限らず、マフラー本体１がフリースなどのその他の材質により形成されていてもよい。
【００４３】
また、本実施形態におけるペット用マフラー１００の色およびサイズはいずれも一例であって、上記した色およびサイズ以外であってもよい。
【符号の説明】
【００４４】
１        マフラー本体
２        ループ部材
１１      開口部
５０      挿通部
１００    ペット用マフラー
１５０    首輪
１５１    Ｄカン（リード連結用金具）
２００    ペット用マフラー
２０１    ループ部材
２５０    挿通部
３００    ペット用マフラー
３０１    ループ部材
３５０    挿通部
【図１】
2013243999.tif 000003
【図２】
2013243999.tif 000004
【図３】
2013243999.tif 000005
【図４】
2013243999.tif 000006
【図５】
2013243999.tif 000007
【図６】
2013243999.tif 000008
【図７】
2013243999.tif 000009
【図８】
2013243999.tif 000010
【図９】
2013243999.tif 000011
【図１０】
2013243999.tif 000012